(57)【要約】      （修正有）【課題】アスベストやダイオキシン類の除去工事において、アスベストやダイオキシン類が飛散することを防止するために行う負圧管理区域の負圧管理を行い、瞬時に異常を知らせることのできる負圧作業区域の負圧管理装置を提供する。【解決手段】壁面に付着したアスベスト又はダイオキシン類を除去する工事において、アスベスト又はダイオキシン類が飛散することを防止するために、除去作業を行う区画を気密性のあるシート材によって包囲し、出入口１１を設けた密閉区画１と、出入口１１を経由して密閉区画１に通じる前室２と、を有し、密閉区画１内には密閉区画内部を負圧にするための換気装置６が備えられてなる負圧作業区域において、密閉区画１の内外の差圧を計測する差圧計３と、差圧計で計測した数値を、常時監視する差圧監視手段４と、差圧監視手段４によって異常を検知すると、瞬時に周囲に異常を知らせる警報装置５と、を備えている。【選択図】図１
0003131855.tif 000002
【実用新案登録請求の範囲】
【請求項１】
壁面に付着したアスベスト又はダイオキシン類を除去する工事において、アスベスト又はダイオキシン類が飛散することを防止するために、除去作業を行う区画を気密性のあるシート材によって包囲し、出入口を設けた密閉区画と、
前記出入口を経由して前記密閉区画に通じる前室と、を有し、
前記密閉区画内には密閉区画内部を負圧にするための換気装置が備えられてなる負圧作業区域において、
前記密閉区画の内外の差圧を計測する差圧計と、
前記差圧計で計測した数値を常時監視する差圧監視手段と、
前記差圧監視手段によって異常を検知すると、瞬時に周囲に異常を知らせる警報装置と、
を備えたことを特徴とする負圧作業区域の負圧管理装置。
【請求項２】
前記差圧監視手段は、前記差圧計内に設けられている請求項１に記載の負圧作業区域の負圧管理装置。
【請求項３】
前記差圧計には、前記差圧監視手段によって監視したデータ及び警報出力指令を送信する無線送信部が設けられ、
前記警報装置には、そのデータ及び警報出力指令を受信する無線受信部が設けられていることを特徴とする請求項１又は請求項２に記載の負圧作業区域の負圧管理装置。
【請求項４】
前記密閉区画と前記差圧計とを接続するパイプには、前記密閉区画内で発生する粉塵が詰まることを防ぐために、セラミックフィルターを取付けたことを特徴とする請求項１ないし請求項３のいずれか１項に記載の負圧作業区域の負圧管理装置。
【請求項５】
前記警報装置は、警報ブザー、警報ランプ、警報盤、又はこれらの併設からなることを特徴とする請求項１ないし請求項４のいずれか１項に記載の負圧作業区域の負圧管理装置。
【考案の詳細な説明】
【技術分野】
【０００１】
本考案は、アスベスト又はダイオキシン類を除去する工事において、アスベスト又はダイオキシン類が飛散することを防止するために適用される負圧作業区域の負圧管理装置に関する。
【背景技術】
【０００２】
建物の天井や壁面部分等には、建築資材（耐火材、断熱材、防音材）として、耐熱性、対薬品性、絶縁性など優れた特性のあるアスベストが吹き付けられてきたが、このアスベストは、疾病との因果関係が指摘されている。すなわち、アスベスト（石綿）は、天然の鉱物繊維で、蛇紋岩系のクリソタイル、角閃石系のアモサイトなどがあり、非常に微細なガラス状の針状繊維であるため、このアスベストの粉じんが呼吸器に取り込まれると、アスベスト肺の原因や肺がん、悪性中皮腫を引き起こす原因となると言われている。
【０００３】
そのため、現在では吹き付けアスベストの使用が禁止されている。しかし、現存するアスベストが使用された建造物は、寿命による建替えなどの理由から今後解体のピークを迎える。このような、アスベストが使用された建造物の解体や、吹き付けアスベストを撤去する工事においては、アスベストが容易に周囲に飛散する怖れがある。
【０００４】
一方、ダイオキシン類は、一般ごみや産業廃棄物の焼却過程で発生するものであり、焼却炉の内部にはダイオキシン類を含有する焼却灰等が付着している。このような焼却施設を解体撤去する場合においては、焼却炉内に付着している焼却灰等を除去し、これを有害物質として処理する必要があるが、焼却炉内部の焼却灰を剥離する際に、ダイオキシン類が容易に飛散する怖れがある。
【０００５】
従来、建築物の解体、建築物内の内装材除去や、焼却炉内の灰除去等を行う際に、発生するアスベストやダイオキシン類の粉塵が工区外に飛散することを防止するため、施工区画をビニールシート等の遮断物によって囲んで密閉し、この密閉区画の内部を負圧に維持して施工区画内で発生する粉塵が周囲に飛散することを防止する方法が知られている。
【０００６】
特許文献１には、アスベストが吹き付けられている建物内をシートなどの遮断物で囲み閉鎖空間を形成して、閉鎖空間内部を負圧状態にしてアスベストの飛散を防止し、その後吹き付けアスベストの剥離回収を行う剥離回収方法が開示されている。
【特許文献１】特開平９−２７９８６１号公報
【考案の開示】
【考案が解決しようとする課題】
【０００７】
上記のような、アスベストやダイオキシン類の除去工事において飛散防止のために閉鎖区間内部を負圧状態にして行う方法では、差圧計やスモークテストを行うことによって負圧状態を確認している。しかし、測定方法・回数が定められていないため、現状では１日１回程度しか測定されておらず、確実に負圧状態が保たれているか、また、負圧状態が崩れる状況に至った場合、いつ正圧となって暴露される状況となったのかが不明であるといった問題点がある。
【０００８】
本考案は、上記問題を鑑みて為されたものであり、アスベストやダイオキシン類の除去工事において、アスベストやダイオキシン類が飛散することを防止するために行う負圧作業区域の負圧管理を行い、瞬時に異常を知らせることのできる負圧作業区域の負圧管理装置を提供することを目的とする。
【課題を解決するための手段及び考案の効果】
【０００９】
上記課題を解決するため、本考案の負圧作業区域の負圧管理装置は、
壁面に付着したアスベスト又はダイオキシン類を除去する工事において、アスベスト又はダイオキシン類が飛散することを防止するために、除去作業を行う区画を気密性のあるシート材によって包囲し、出入口を設けた密閉区画と、
出入口を経由して密閉区画に通じる前室と、を有し、
密閉区画内には密閉区画内部を負圧にするための換気装置が備えられてなる負圧作業区域において、
密閉区画の内外の差圧を計測する差圧計と、
差圧計で計測した数値を常時監視する差圧監視手段と、
差圧監視手段によって異常を検知すると、瞬時に周囲に異常を知らせる警報装置と、
を備えたことを特徴とする。
【００１０】
本考案の負圧作業区域の負圧管理装置によれば、密閉区画と密閉区画外との境界に差圧計を取付けて、差圧監視手段によって常時差圧を監視する。そして、密閉区画外の適所に警報装置を設置することにより、負圧作業区域の負圧環境に異常が生じた際に、周辺で待機している工事管理者等に瞬時に異常を知らせることが可能となる。
【００１１】
また、差圧監視手段は、差圧計内に設けられている。この構成によると、差圧計で計測する数値を常に監視手段によって監視し、その監視の結果に応じて、異常を検知した際に、瞬時に警報を発信することができる。
【００１２】
また、差圧計には、差圧監視手段によって監視したデータ及び警報出力指令を送信する無線送信部が設けられ、
警報装置には、そのデータ及び警報出力指令を受信する無線受信部が設けられている。この構成によって、警報出力指令を無線によって送受信可能となり、工事管理者等は、アスベスト又はダイオキシン類の除去作業を行っている密閉区画から一定距離をおいて異常環境を監視することが可能となるため、除去作業者以外の者が暴露される状況を防ぐと共に、測定、管理が容易となる。
【００１３】
また、密閉区画と差圧計とを接続するパイプには、密閉区画内で発生する粉塵が詰まることを防ぐために、セラミックフィルターを取付けて構成することができる。これによって、差圧計の目詰まりによる誤作動を防止する。
【００１４】
また、警報装置は、警報ブザー、警報ランプ、警報盤、又はこれらの併設からなるように構成することができる。これによって、周辺で待機している工事管理者等に瞬時に異常を知らせる際に、目視及び聴覚によって知らせることができる。
【考案を実施するための最良の形態】
【００１５】
以下、本考案の実施形態を、図面を参照しながら説明する。
図１は、本考案に係る負圧作業区域の負圧管理装置を設置した作業区域の一例を示す外観斜視図である。アスベスト又はダイオキシン類を除去する工事の作業区域には、気密性のあるシート材によって包囲された密閉区画１と、密閉区画に通じる前室２とが設けられている。そして、本考案の負圧管理装置１００は、密閉区画の内外の差圧を計測する差圧計３と、差圧計３で計測した数値を監視する差圧監視手段４と、警報出力部として警報内容を確認できる警報装置５を備えている。
【００１６】
密閉区画１は、アスベスト又はダイオキシン類の粉塵が外部に飛散、漏洩することを防止するために、アスベストを含有する壁面部分又は天井部分を含む部屋又は建物全体や、ダイオキシン類を含有する焼却灰が付着した焼却施設の全体を、プラスチックシート等の気密性を有するシート材で包囲して形成している。広範な範囲を包囲する場合は、複数のシート材が使用され、各シート材の継ぎ目を緊密に接合して、内部の空気の漏洩がないようにする。このとき、地表面にもシート材を敷設して地表面との間も隔離することによって、除去されたダイオキシン類が地中に浸透又は混入することを防止することができる。シート材は、プラスチックシートに限られず、気体不通性又は粉塵不通性を有するものであれば布状物や壁状部材であってもよい。
【００１７】
密閉区画１には、出入口１１が設けられている。そして、この出入口１１を経由して密閉区画１に通じる前室２が形成されている。出入口１１には、ファスナなどの留め具１２を有しており、密閉区画１の仕切壁を分離させて開口する開口状態と、接合する閉口状態とを切り替えることができるようにされている。これによって、開口状態では作業者が通ることができ、閉口状態では、隣接する密閉区画１と前室２とが遮断される。前室２は、密閉区画１内の粉塵等が出入口１１から直接外部に飛散することを防ぐために設けられている。
【００１８】
密閉区画１には、密閉区画１内部を負圧にするための換気装置６が備えられている。この換気装置６は、密閉区画１とホース１３によって接続され、ホース１３に接続されたケース１４と、その内部に設けられた吸引ファン１５と、この吸引ファン１５を回転駆動するモータ１６と、そのモータ１６の回転速度を調節して負圧の程度を調節する調節操作部１７とを備えている。モータ１６によって吸引ファン１５が回転し、密閉区画１内の空気を吸引排出することによって、密閉区画外と比較して内部を負圧に維持している。換気装置６は、前室２から取り入れた外部の空気が密閉区画１内を均一に流れ、排気されるような位置に設置されている。これによって、外部の空気は流入できるものの、内部の空気を流出させない負圧隔離状態とすることができる。換気装置６には防塵フィルタとしてＨＥＰＡフィルタ１８が設置されており、密閉区画１内の粉塵が外部に流出することを防いでいる。
【００１９】
負圧管理装置１００を構成する差圧計３は、密閉区画１と前室２との境界に取付けられており、図２に示すように、計測する圧力を取り入れる一対の連通管３１が設けられている。そして、図３（ａ）に示すように、差圧計３は測定部３０、差圧監視手段４、無線送信部７を備えており、無線送信部７はアンテナ７１を備えている。
【００２０】
図２に戻って、連通管３１のうち一方の連通管３１ａは、パイプ３２を介して密閉区画１に接続され、もう一方の連通管３１ｂは大気開放されている。差圧計３は、測定部３０によって、パイプ３２から導入される密閉区画１内の圧力Ｐ１と、大気開放されている連通管３１ｂから導入される密閉区画外の圧力Ｐ２との圧力差を測定するものである。差圧計３はあらゆる種類の差圧計を選択することができ、例えばマノメーターや、ひずみゲージを利用した差圧計などが挙げられる。
【００２１】
差圧計３によって圧力を測定する密閉区画１内は、アスベストやダイオキシン類の粉塵が発生するため、差圧計３や差圧計に接続されるパイプ３２内で目詰まりを起こすことが考えられる。このため、パイプ３２内にセラミックフィルター３３を取付けて使用すると、アスベストやダイオキシン類の粉塵による目詰まりを防ぐことができる。
【００２２】
差圧監視手段４は、差圧計３によって計測された差圧を常時監視しており、密閉区画１内と密閉区画外との圧力差が所定の圧力差以下となったときに、警報出力指令を無線送信部７からアンテナ７１によって無線で発信し警報装置５から警報を発生させるように構成されている。
【００２３】
警報装置５として、警報ブザー、警報ランプ、警報盤が用いられ、密閉区画外の適所に設置されている。警報装置５は、図３（ｂ）に示すように、無線受信部８、出力部５０を備えており、無線受信部８はアンテナ８１を備えている。警報ブザーは、出力部５０をスピーカーで構成しており、差圧監視手段４からの警報出力指令を無線受信部８によって受信して、異常警報をブザー音として周囲に知らせる。警報ランプは、出力部５０をＬＥＤ等の発光部として構成しており、差圧監視手段４からの警報出力指令を無線受信部８にて受信し、異常警報を警報ランプの点灯表示として周囲に知らせる。この時、点灯状態によって区別して表示することができる。すなわち、非点灯状態から点灯状態に、あるいは点灯色や点灯パターンを通常時とは異なるものに切り替えることで、異常警報を表示することもできる。警報盤は、出力部５０として周知の液晶表示画面を採用して、異常警報を画面表示によって知らせるものである。表示画面としては、例えば、ＬＣＤ（Liquid Crystal Display）や有機ＥＬ（ElectroLuminescence）、無機ＥＬを採用することができる。
【００２４】
次に、以上のように構成された負圧管理装置１００の使用方法について説明する。まず、前室２を通り出入口１１を開けて、密閉区画１に作業者が入る。そして、密閉区画１に接続されている換気装置６を作動させて、密閉区画１内を負圧に保つ。このとき、差圧計３の示す値として、密閉区画外の気圧に比べて密閉区画１内が−２〜−４Ｐａとなるように密閉区画１内を負圧に保つと、アスベスト又はダイオキシン類の粉塵の飛散、漏洩を防止するのに有効である。
【００２５】
作業者は、密閉区画１内が負圧にされたことを確認してから、アスベスト又はダイオキシン類を除去する作業を行う。この時、密閉区画１内の負圧環境が崩れると、密閉区画１内で発生するアスベスト又はダイオキシン類の粉塵が外部に飛散する怖れがある。このため、差圧計３内に設けられている差圧監視手段４は常時差圧計３の計測する数値を監視しており、差圧計３の示す値において密閉区画外の気圧に比べて密閉区画内が−１Ｐａ〜０Ｐａとなった際に、差圧監視手段４はこれを検知して無線送信部７から警報装置５に警報出力指令を無線で出力する。警報装置５は、差圧監視手段４の無線送信部７からの警報出力指令を無線受信部８にて受信すると、異常警報として出力部５０からブザー音、ランプの点灯、画面表示の方法によって警報を発生し、周辺に待機する管理者に瞬時に異常状態を知らせる。
【００２６】
このように、負圧環境が崩れた際に、瞬時に警報装置５によって異常状態を知らせることができるため、異常時に迅速な対応を取ることが可能となる。
【００２７】
以上、本考案の実施形態について説明したが、本考案はこれらの形式に限定されるものではなく、これらに具現された考案と同一性の範囲内において適宜変更して実施し得る。
【図面の簡単な説明】
【００２８】
【図１】本考案に係る負圧作業区域の負圧管理装置を設置した作業区域の一例を示す外観斜視図。
【図２】差圧計を示す正面図。
【図３】差圧計及び警報装置の概略構成図。
【符号の説明】
【００２９】
１      密閉区画
２      前室
３      差圧計
４      差圧監視手段
５      警報装置
６      換気装置
７      無線送信部
８      無線受信部
３１    連通管
３２    パイプ
３３    セラミックフィルター
【図１】
0003131855.tif 000003
【図２】
0003131855.tif 000004
【図３】
0003131855.tif 000005